(57)【要約】【課題】金属腐食による液漏れを防止しながら、パッケージング構造を著しく簡単な構造として安価に多量生産する。【解決手段】電池パックの製造方法は、電極体２と非水電解質とを収納し、かつその外形を、電気機器２０の装着部２１に脱着自在に装着される立体形状に成形している電池パックを製造する。この製造方法は、電極体２と非水電解質を入れているケースの少なくとも内面と表面をプラスチックとするプラスチックケース１を製作する。このプラスチックケース１は、外形を電気機器２０の装着部２１にセットされる立体形状に成形して、内形を電極体２を入れる形状に成形して、電池の外装缶と電池パックの外形を特定する外ケースとを一体構造として製作する。このプラスチックケース１の内部に直接に電極体２と非水電解質を入れ、その後、プラスチックケース１の開口部を気密に閉塞して電池パックを製造する。【選択図】　図３
2004006157.tif 000002
【特許請求の範囲】
【請求項１】
正極と負極とセパレータとからなる電極体（２）と非水電解質とを収納し、かつ満充電電圧を３．５Ｖ以上で５．０Ｖ以下とし、かつその外形を、電気機器（２０）の装着部（２１）に脱着自在に装着される立体形状に成形してなる電池パックの製造方法であって、
電極体（２）と非水電解質を入れているケースの少なくとも内面と表面をプラスチックとするプラスチックケース（１）を製作すると共に、このプラスチックケース（１）は外形を、電気機器（２０）の装着部（２１）にセットされる立体形状に成形して、内形を電極体（２）を入れる形状に成形して、電極体（２）と非水電解質を入れる電池の外装缶と電池パックの外形を特定する外ケースとを一体構造のプラスチックケース（１）として製作し、このプラスチックケース（１）の内部に直接に電極体（２）と非水電解質を入れ、その後、プラスチックケース（１）の開口部を気密に閉塞することを特徴とする電池パックの製造方法。
【請求項２】
正極と負極とセパレータとからなる電極体（２）と非水電解質とを収納しており、かつ満充電電圧を３．５Ｖ以上で５．０Ｖ以下とすると共に、外形を電気機器（２０）の装着部（２１）に脱着自在に装着される立体形状に成形してなる電池パックであって、
電極体（２）と非水電解質を入れているケースを、少なくとも内面と表面をプラスチックを成形してなるプラスチックケース（１）とし、このプラスチックケース（１）は外形を電気機器（２０）の装着部（２１）にセットされる立体形状に成形して、その内形を電極体（２）と非水電解質を入れる形状に成形しており、
電極体（２）と非水電解質を入れる電池の外装缶と電池パックの外形を特定する外ケースとをプラスチックケース（１）で一体構造としており、プラスチックケース（１）が電池の外装缶と電池パックのケースの両方に併用されてなることを特徴とする電池パック。
【請求項３】
電極体（２）を構成する正極活物質にリチウム含有化合物を、負極をリチウムイオンを吸蔵、放出できる材料とする請求項２に記載される電池パック。
【請求項４】
プラスチックケース（１）が、水分や気体の透過を阻止する遮断層（１ｃ）をプラスチック層に積層している請求項２に記載される電池パック。
【請求項５】
プラスチックケース（１）が、異なる材質である複数のプラスチックを積層してなるプラスチックの複合材である請求項２に記載される電池パック。
【請求項６】
プラスチックケース（１）が電気機器（２０）の装着部（２１）に連結される係止部（５）をプラスチックで一体的に成形して設けている請求項２に記載される電池パック。
【発明の詳細な説明】
【０００１】
【発明の属する技術分野】
本発明は、非水電解質二次電池を内蔵する電池パックに関し、とくに、携帯電話等の電気機器のように、電池パックを電気機器のケースの一部として使用するのに最適な非水電解質二次電池の電池パックとその製造方法に関する。
【０００２】
【従来の技術】
非水電解質二次電池は、ステンレス製の外装缶を使用していた。ただ、非水電解質二次電池（特に正極活物質にコバルト酸リチウム等を用い、負極活物質に黒鉛等を用いた、いわゆるリチウムイオン電池）は、満充電すると電池電圧が３．５Ｖ以上となるので、長期間保存すると腐食孔があいて液漏れする問題がある。外装缶の腐食は、正極外装缶に用いられているステンレス中の鉄成分が、鉄イオンとなって溶解するからである。ステンレス外装缶の腐食による液漏れは、外装缶を負極として解決できる。ただ、この構造の非水電解質二次電池は、正極に接続して電流を外部に取り出す端子材料には、アルミニウムやアルミニウム合金を使用する必要があって、ステンレスを使用できない。端子材料にステンレスを使用すると、鉄が溶解されるからである。しかしながら、アルミニウム製の端子材料は、正極のアルミニウム芯材に接続するのが難しくて、製品の歩留が悪くなる。アルミニウムどうしの溶接となるからである。小型の非水電解質二次電池は、端子部品が小さいので、アルミニウム製端子材料を確実に接続するのが難しく、電池の歩留を低下させてしまう。この弊害を避けるために、外装缶をアルミニウム製とするリチウム電池が開発されている。アルミニウムは、溶解電圧が高いので腐食による液漏れを防止できる。
【０００３】
【発明が解決しようとする課題】
しかしながら、外装缶を、アルミニウムやステンレス等の金属製とする非水電解質二次電池は、電極体表面（特に電極体上下の端部になる電極、リチウムイオン電池の場合、通常は負極）の極性が外装缶と異なる場合、電極体と外装缶との間を絶縁する必要がある。このことを実現するために、電極体の表面を絶縁材で被覆して外装缶に挿入している。この構造は、電極体を外装缶に挿入するときに、絶縁材が変形して充分に絶縁できなくなることがある。とくに、充放電の容量を大きくするために、大きい電極体を挿入するとこの弊害は甚だしくなる。
【０００４】
さらに、外装缶を金属製とする非水電解質二次電池は、金属板を深絞り加工して底の閉塞された筒状の外装缶を製作し、この外装缶に電極体と非水電解液を入れた後、開口部を封口板で閉塞して製作される。この構造の非水電解質二次電池は、外形を所定の規格寸法と規格形状とするので、電気機器の装着部に装着するために、プラスチックケースに収納して電池パックに加工される。電池パックのプラスチックケースは、電気機器の装着部に脱着自在に装着できる外形に成形される。この構造の電池パックは、非水電解質二次電池を完成品として所定の外形に製作した後、さらに、電池パックのケースに入れて、種々の電気機器に合わせた外形としている。
【０００５】
この電池パックは、非水電解質二次電池の外装缶と電池パックのケースからなる二重構造のケースであるため、製作に手間がかかるばかりでなく、製造コストも高くなる。電池パック全体の製造コストから換算すると、二重パッケージングの経費は、全体のトータルコストの約１／３にもなっているのが実状である。電池パックのコストを低減するために、電池の外装缶と電池パックのケースからなるパッケージングコストを安くする技術が切望されているが、電池の外装缶と、電池パックのケースからなる二重構造のパッケージングでは、大幅にコストを低減するのが極めて難しい。
【０００６】
さらに、二重のパッケージング構造である従来の電池パックは、外形を小さくしながら大容量に設計すること、すなわち単位容積に対する容量を大きくするのが難しい。それは、パッケージングの実質的な厚さを薄くするのが極めて難しいからである。非水電解質二次電池単体では、容積に対する容量を大きくできても、これを電池パックのケースに収納すると、電池パックの容量に対する容積が大きくなり、現実に使用する状態では外形を小さくしながら大容量にできない弊害がある。
【０００７】
本発明は、このような欠点を解決することを目的に開発されたものである。本発明の重要な目的は、金属腐食による液漏れを防止しながら、パッケージング構造を著しく簡単な構造として、安価に多量生産でき、しかも電池パック全体の容積に対する容量を大きくできる電池パックとその製造方法を提供することにある。
【０００８】
【課題を解決するための手段】
本発明の製造方法は、正極と負極とセパレータとからなる電極体２と非水電解質とを収納し、かつ満充電電圧を３．５Ｖ以上で５．０Ｖ以下とし、かつその外形を、電気機器２０の装着部２１に脱着自在に装着される立体形状に成形している電池パックを製造する方法である。この製造方法は、電極体２と非水電解質を入れているケースの少なくとも内面と表面をプラスチックとするプラスチックケース１を製作する。このプラスチックケース１は、外形を、電気機器２０の装着部２１にセットされる立体形状に成形して、内形を電極体２を入れる形状に成形して、電極体２と非水電解質を入れる電池の外装缶と電池パックの外形を特定する外ケースとを一体構造のプラスチックケース１として製作する。このプラスチックケース１の内部に直接に電極体２と非水電解質を入れ、その後、プラスチックケース１の開口部を気密に閉塞して電池パックを製造する。
【０００９】
本発明の請求項２の電池パックは、正極と負極とセパレータとからなる電極体２と非水電解質とを収納しており、かつ満充電電圧を３．５Ｖ以上で５．０Ｖ以下としている。さらに、電池パックは、その外形を、電気機器の装着部に脱着自在に装着される立体形状に成形している。電池パックは、電極体２と非水電解質を入れているケースを、少なくとも内面と表面をプラスチックを成形してなるプラスチックケース１としている。このプラスチックケース１は、外形を電気機器２０の装着部２１にセットされる立体形状に成形して、その内形を電極体２と非水電解質を入れる形状に成形している。電池パックは、電極体２と非水電解質を入れる電池の外装缶と電池パックの外形を特定する外ケースとをプラスチックケース１で一体構造として、プラスチックケース１を電池の外装缶と電池パックのケースの両方に併用している。
【００１０】
電極体２は、正極活物質にリチウム含有化合物を用い、負極をリチウムイオンを吸蔵、放出できる材料とすることができる。
【００１１】
プラスチックケース１は、水分や気体の透過を阻止する遮断層１ｃをプラスチック層に積層することができる。遮断層１ｃは、たとえば、シリカやアルミナ等の無機質材とすることも、アルミニウムまたはアルミニウム合金などの金属材料や、またポリ塩化ビニリデンやエチレンビニルアルコール共重合体、フッ素樹脂などの有機化合物とすることもできる。プラスチックケース１は、異なる材質である複数のプラスチックを積層してなるプラスチックの複合材とすることができる。さらに、プラスチックケース１は、電気機器２０の装着部２１に連結される係止部５をプラスチックで一体的に成形して設けることができる。
【００１２】
【発明の実施の形態】
以下、本発明の実施例を図面に基づいて説明する。ただし、以下に示す実施例は、本発明の技術思想を具体化するための電池パックの製造方法と電池パックを例示するものであって、本発明は電池パックの製造方法と電池パックを以下のものに特定しない。
【００１３】
さらに、この明細書は、特許請求の範囲を理解しやすいように、実施例に示される部材に対応する番号を、「特許請求の範囲の欄」、および「課題を解決するための手段の欄」に示される部材に付記している。ただ、特許請求の範囲に示される部材を、実施例の部材に特定するものでは決してない。
【００１４】
図１ないし図３は、非水電解質二次電池であるリチウムイオン二次電池を内蔵する電池パックを示す。この電池パックは、非水電解質二次電池をリチウムイオン二次電池としているが、電池パックは、リチウムイオン二次電池以外の非水電解質二次電池であって、満充電電圧を３．５〜５Ｖとする電池も使用できる。図の電池パックは、電極体２をプラスチックケース１に収納して、封口板３で気密に密閉している。
【００１５】
非水電解質二次電池は、正極と負極とセパレータとからなる電極体２と非水電解液とを収納して、満充電電圧を３．５Ｖ以上で５．０Ｖ以下とするものである。なお、１つの電池パック内で２個以上の電極体を直列で持つとき、電池パックより出力される電圧はそれぞれの電極体の電圧の合計となるが、ここでいう満充電電圧は、電極体１個あたりの電圧を示す。電極体２は、正極と負極とをセパレータで絶縁して積層している。正極と負極はセパレータを挟んで互いに積層し、これを渦巻状に巻いて多層の積層構造としている。巻かれた電極体２は、両面から加圧して所定の厚さに加工される。ただし、電極体２は、所定の形状に裁断された複数枚の正極と負極とをセパレータを介して積層して製作することもできる。
【００１６】
正極は、以下のようにして製作される。活物質としてのコバルト酸リチウムと、導電剤としての黒鉛、及び結着剤としてのポリフッ化ビニデンを、それぞれ固形分質量比で９０：６：４の比率でＮ−メチル−２−ピロリドン（ＮＭＰ）中で混練して正極合剤スラリーとする。次いで、この正極合剤スラリーを芯体としてのアルミニウム箔（厚さ１５μｍ）に規定量塗布後、加熱してＮＭＰを蒸発させ、加圧ローラーにて規定厚さに調整後、所定の寸法に切断して正極を製作する。
【００１７】
負極は、以下のようにして製作される。グラファイト粉末と、結着剤としてのゴム系結着剤を水に分散させたディスパージョンとをそれぞれ固形分質量比で９５：５の比率で混合して、負極合剤スラリーとする。次いで、この負極合剤スラリーを銅箔（厚さ１２μｍ）に規定量塗布後、加熱して水分を蒸発させ、加圧ローラーにて規定厚さに調整後、所定の寸法に切断して負極を製作する。
【００１８】
以上のようにして製作される正極と負極とを、ポリエチレン製微孔性薄膜のセパレータを間に挟んで巻回して渦巻電極体を作製し、これを両面から加圧して所定の厚さの電極体２とする。
【００１９】
電極体２を入れるプラスチックケース１は、内面と表面をプラスチックで成形し、あるいは全体をプラスチックで成形して、図３に示すように、その外形を電気機器２０の装着部２１にセットされる立体形状に成形し、その内形を電極体２と非水電解液を入れる形状に成形している。このプラスチックケース１は、電極体２と非水電解液を入れる非水電解質二次電池の外装缶と、電池パックの外形を特定する外ケースとを一体構造としたもので、非水電解質二次電池の外装缶と電池パックのケースの両方に併用される。加圧して所定の厚さにしてなる渦巻電極体２を入れるプラスチックケース１は、図４に示すように、両端部を半円形とする細長い形状の筒状に成形する。多数枚の電極を積層してなる電極体を入れるプラスチックケースは、図示しないが、内形の断面形状を長方形とする筒状に加工する。
【００２０】
プラスチックケース１の外形は、電気機器２０に脱着自在に装着される形状、図の電池パックは、両側に鍔部４を突出させる形状に成形している。電気機器２０の装着部２１に係止して外れないように連結される電池パックは、プラスチックケース１の外側表面に係止部５を一体的に成形する。図１に示す電池パックは、電気機器の装着部に設けている凹部（図示せず）に挿入される凸部５Ａを下端に設けて係止部５とし、さらに封口板３の上面には、電気機器の装着部にあって弾性的に突出している弾性凸部（図示せず）を案内する凹部５Ｂを係止部５として設けている。
【００２１】
また、図示しないが、本発明の電池パックを電気機器の電池ホルダーに内蔵することもできる。この場合、電池パックは、鍔部を設けることなく、プラスチックケースの外形を電気機器の電池ホルダーの形状に合わせた形状とする。電池ホルダーに蓋をつけることで、電池パックの脱落を防止できる。このような電池パックは、電気機器の外観が異なっても、電池ホルダーの形状を電池パックに合わせておけば、電池パックの共通化が可能になる利点がある。
【００２２】
さらに、図４と図５のプラスチックケース１は、水分やガスの透過性を少なくするために、内部に水分や気体の透過を阻止する遮断層１ｃを積層している。遮断層１ｃは、プラスチックケース１の全体の内部に積層される。この遮断層１ｃは、アルミニウムやアルミニウム合金等の金属層、あるいはシリカやアルミナ等の無機質層である。遮断層１ｃを金属層とするプラスチックケース１は、金属薄膜をインサート成形して製作され、あるいは金属をプレス加工してなる金属成形体をインサート成形して製作される。
【００２３】
また、遮断層１ｃを金属層や無機質層とするプラスチックケース１は、内側に位置する内側ケース部１ａと、外側に位置する外側ケース部１ｂを以下のように成形して製作される。プラスチックで内側ケース部１ａを成形する。内側ケース部１ａは、内側形状を電極体２を入れるのに最適な形状とする筒状に成形される。筒状の内側ケース部１ａは、底を閉塞し、あるいは底を開いた筒状に成形する。筒状の内側ケース部１ａの外側表面に、金属や無機質材を蒸着して、内側ケース部１ａの外側表面の全体を遮断層１ｃで被覆する。その後、外側ケース部１ｂを成形する金型の成形室に内側ケース部１ａを仮止めし、外側ケース部１ｂの成形室に溶融プラスチックを注入して、外側ケース部１ｂに内側ケース部１ａをインサート成形する。
【００２４】
以上のように、内部に遮断層１ｃを積層しているプラスチックケース１は、水分や気体の透過を遮断層１ｃで阻止できる。このため、プラスチックケース１を水分や気体を透過させるプラスチックで成形できる。したがって、この構造のプラスチックケース１は、ほとんどのプラスチック、たとえば、ポリエチレン（ＰＥ）、ポリプロピレン（ＰＰ）、ナイロン、ＡＢＳ、ＥＶＡ、塩化ビニル、ポリエステル等が使用できる。一方、電解液と接触する内側ケース１ａには、電解液に用いる有機溶媒に対して溶解や膨潤しないプラスチックを用いることが好ましく、結晶ポリマー（ＬＣＰ）、ポリフェニレンサルファイド（ＰＰＳ）、ポリエーテルサルフォン（ＰＥＳ）、ポリブチレンテレフタレート（ＰＢＴ）、ポリアミドイミド（ＰＡＩ）、ポリフタルアミド（ＰＰＡ）、ポリエーテルエーテルケイン（ＰＥＥＫ）等が使用できる。
【００２５】
プラスチックケース１は、図６に示すように、異なる種類のプラスチックを積層してなるプラスチックの複合材料で成形することもできる。このプラスチックケース１は、水分や気体の透過を阻止できる気密性プラスチック１ｄを内部に積層している。気密性プラスチック１ｄにはフッ素樹脂やポリ塩化ビニリデン、エチレンビニルアルコール共重合体などが使用できる。このプラスチックケース１は、以下のようにして製作される。内側ケース部１ａを成形し、この内側ケース部１ａを金型の成形室に仮止めして、内側ケース部１ａの外側表面に気密性プラスチック１ｄを成形して、気密性プラスチック１ｄに内側ケース部１ａをインサートする。さらに、この内側ケース部１ａを外側ケース部１ｂを成形する金型の成形室に仮り止めし、外側ケース部１ｂを成形するときに内側ケース部１ａをインサートする。図６のプラスチックケース１は、内側ケース部１ａと外側ケース部１ｂの間に気密性プラスチック１ｄを設けて、３層構造としているが、プラスチックケースは、内側ケース部を気密性プラスチックで成形して、その外側に外側ケース部を成形してなる２層構造とすることもできる。この構造のプラスチックケースも、気密性プラスチックで水分や気体の透過を阻止するので、他のプラスチックを、図５のプラスチックケース１と同じように、ほとんどのプラスチックで成形できる。
【００２６】
プラスチックケース１は、電極体２を入れた状態で、開口部に封口板３を固定する。封口板３は、プラスチックケース１に溶着して、確実に固定されるので、プラスチックケース１は、熱可塑性のプラスチックで成形される。ただ、プラスチックケース１を熱硬化性のプラスチックで成形して、封口板３を接着して固定することもできる。
【００２７】
熱可塑性のプラスチックで成形しているプラスチックケース１は、超音波溶着して封口板３を簡単に固定できる。プラスチックケース１に溶着される封口板３も、封口板３との溶着面を熱可塑性のプラスチックで成形している。図５と図６のプラスチックケース１と封口板３は、確実に溶着するために、一方に凸条６を設け、他方には凸条６を案内する連結溝７を設けている。凸条６を連結溝７に入れる状態で、超音波溶着してプラスチックケース１と封口板３はしっかりと気密に溶着される。
【００２８】
封口板３は、図１と図７に示すように、全体をプラスチックで成形して、表面に表出するように正極端子８Ａと負極端子８Ｂからなる電極端子８をインサートして固定している。封口板３は、その下面であるプラスチックケース１内に表出するように、正極集電板９Ａと負極集電板（図示せず）からなる集電板９をインサートして固定している。この封口板３は、正極端子８Ａと負極端子８Ｂである電極端子８に集電基材１０を接続している。この集電基材１０は、封口板３に埋設されて、正極端子８Ａを正極集電板９Ａに、負極端子８Ｂを負極集電板に電気接続している。さらに図の集電基材１０は、過電流が流れると溶断されるように、一部を細くして溶断部１１としている。この集電基材１０は、過電流が流れると溶断部１１が電流で溶断されて電池パックに流れる電流を遮断する。さらに、図の封口板３は、非水電解液を注入する注入穴１２を設けており、この注入穴１２を封止栓１３で気密に閉塞している。この電池パックは、プラスチックケース１に電極体２を入れて封口板３を固定し、封口板３の注入穴１２から非水電解液を注入した後、注入穴１２を封止栓１３で閉塞する。電池パックは、封口板３をプラスチックケース１に固定する前であって、電極体２を入れた後に非水電解液を入れて、封口板３でプラスチックケース１の開口部を気密に閉塞することもできる。この電池パックは、封口板３に非水電解液の注入穴１２を設ける必要がない。また、図の封口板３は、一部を薄く成形して安全弁１４を設けている。安全弁１４は、プラスチックケース１内の圧力が設定圧力よりも高くなると開弁して、プラスチックケース１の圧力破壊を防止する。
【００２９】
図の電池パックは、プラスチックケース１の下端開口部である缶底をプラスチック製の底蓋１５で閉塞している。この構造の電池パックは、底蓋１５を成形するプラスチックを、プラスチックケース１よりも緩衝力に優れたプラスチック、たとえばＡＢＳ樹脂等で成形できる。この電池パックは、落下したときの耐衝撃強度を向上できる。だたし、電池パックは、プラスチックケース１を底の閉塞された形状に成形することもできる。この電池パックは、プラスチックケース１の底を、別に成形してなる底蓋で閉塞する必要がなく、安価に多量生産できる。
【００３０】
【発明の効果】
本発明は、金属腐食による液漏れを防止しながら、パッケージング構造を著しく簡単な構造として、安価に多量生産できると共に、電池パック全体の容積に対する容量を大きくできる特長がある。それは、本発明の電池パックとその製造方法が、電極体と非水電解質を入れているケースを、少なくとも内面と表面をプラスチックを成形してなるプラスチックケースとしており、このプラスチックケースの外形を電気機器の装着部にセットされる立体形状に成形すると共に、その内形を電極体と非水電解質を入れる形状に成形して、プラスチックケースを電池の外装缶と電池パックのケースの両方に併用しているからである。
【００３１】
このように、プラスチックケースを電池の外装缶と電池パックのケースの両方に併用する構造は、従来のように、非水電解質二次電池の外装缶と電池パックのケースとからなる二重構造としないので、パッケージング構造を著しく簡単にできる。したがって、製造コストを低減して安価に多量生産できると共に、パッケージングの実質的な厚さを薄くして、電池パック全体の容積に対する容量を大きくできる。しかも、プラスチックケースである外装缶は、金属製の外装缶のように腐食することがないので、金属腐食による液漏れが発生する心配もない。
【図面の簡単な説明】
【図１】本発明の一実施例にかかる電池パックの一部断面斜視図
【図２】図１に示す電池パックの正面図
【図３】図１に示す電池パックを電気機器に装着した状態を示す横断面図
【図４】図１に示す電池パックのプラスチックケースの拡大水平断面図
【図５】図１に示す電池パックのプラスチックケースの拡大垂直断面図
【図６】プラスチックケースの他の一例を示す拡大垂直断面図
【図７】図１に示す電池パックの拡大断面斜視図
【符号の説明】
１…プラスチックケース　１ａ…内側ケース部　　　　１ｂ…外側ケース
１ｃ…遮断層
１ｄ…気密性プラスチック
２…電極体
３…封口板
４…鍔部
５…係止部　　　　　　　５Ａ…凸部　　　　　　　　５Ｂ…凹部
６…凸条
７…連結溝
８…電極端子　　　　　　８Ａ…正極端子　　　　　　８Ｂ…負極端子
９…集電板　　　　　　　９Ａ…正極集電板
１０…集電基材
１１…溶断部
１２…注入穴
１３…封止栓
１４…安全弁
１５…底蓋
２０…電気機器
２１…装着部
【図１】
2004006157.tif 000003
【図２】
2004006157.tif 000004
【図３】
2004006157.tif 000005
【図４】
2004006157.tif 000006
【図５】
2004006157.tif 000007
【図６】
2004006157.tif 000008
【図７】
2004006157.tif 000009